(57)【要約】      （修正有）【課題】かゆみ止めの薬剤、液状、軟膏のものを塗りつけた後に、又そのまま貼ることのできる、同等の効果を備えた、乾きにくく、長時間持続することができ、再度押し、薬剤を搾り出すことで、更に、効果持続を高める、かゆみ止めテープを提供する。【解決手段】かゆみ止め薬剤が乾燥しにくくするために、表面素材のビニール、シリコン又は紙の、裏側の肌に接する粘着性のある部分中央部に薬剤の滲みこんだガーゼの小口周りよりも大幅にはみ出るようにし、その部分に粘着性のシリコンテープを備えることで肌に直接周囲を貼り付けてガーゼを囲み、覆うようにして気密性効果で薬剤効果を持続するようにする。【選択図】図１
0003177687.tif 000002
【実用新案登録請求の範囲】
【請求項１】
傷口へ貼る、傷絆創膏のような、かゆみ止め効果のある薬剤を、ガーゼに滲みこませ、テープの粘着性のある肌側の所定の位置に備え付けた、かゆみ止めテープ。
【請求項２】
上記記載の、かゆみ止めのために、その部分に、かゆみ止め薬剤の滲みこんだガーゼを備えたテープを直接局部に貼り付ける、請求項１記載の、かゆみ止めテープ。
【請求項３】
上記記載の、テープのかゆみ止め薬剤が乾燥しにくくし、かゆみ止め効果の持続を高めるために、ガーゼ周囲に、接着効果があり気密性の良い、シリコンテープを、施した、請求項１〜２記載の、かゆみ止めテープ。
【請求項４】
上記記載の、かゆみ止め効果のある薬剤を、ガーゼに滲みこませたものがあり、効果が弱くなった場合そのガーゼ部分のみ取り替えることのできる、請求項１〜３記載の、かゆみ止めテープ。
【請求項５】
上記記載の、テープのガーゼのかゆみ止め薬剤の効果が弱くなったり又は、乾燥した場合、その効果の薬剤の液体の入った専用容器があり、それをガーゼに直接滲みこませ、復活することのできる、請求項１〜４記載の、かゆみ止めテープ。
【請求項６】
上記記載の、かゆみ止めのために、その部分に、かゆみ止め薬剤の滲みこんだガーゼを備えたテープを直接局部に貼り付ける場合に、ガーゼ内部に、発汗作用による湿気防止するために、そのテープ素材に、孔を設けた、請求項１〜５記載の、かゆみ止めテープ。
【請求項７】
上記記載の、かゆみ止め薬剤の滲みこんだガーゼを備えたテープの素材は、通常、紙製、ビニール製などの使い捨て用の他に、シリコン製の接着効果そのものの特性を、利用したものもあり、シリコン製においては、何回も、かゆみ止め専用のテープのように反復利用することができる、請求項１〜６記載の、かゆみ止めテープ。
【考案の詳細な説明】
【技術分野】
【０００１】  虫刺されなどによる、かゆみ止めの、液状、軟膏のものを塗りつけることで、一時的には、かゆみ止めにはなるが、又直ぐにかゆくなり、再び、かゆみ止めなどによる処置をとることになる、もっと持続がほしい。
【解決手段】
かゆみ止めの薬剤、液状、軟膏のものを塗りつけた後に、又そのまま貼ることのできる、同等の効果を備えた、乾きにくく、長時間持続することができる、かゆみ止めガーゼ付テープを、貼り付けることで、解消したい。
【背景技術】
【０００２】  本考案は、かゆみ止めの薬剤、液状、軟膏のものを塗りつけた後に、又そのまま貼ることのできる、同等の効果を備えた、乾きにくく、長時間持続することができ、再度押し、薬剤を搾り出すことで、更に、効果持続を高める、かゆみ止めガーゼ付テープを、貼り付けることで、解消したい。【０００３】
【先行技術文献】
【特許文献】
【０００４】
【特許文献１】特開２００３  −３１３１９６
【特許文献２】特開２００９  −０１０２５６
【考案の概要】
【考案が解決しようとする課題】
【０００５】  かゆみ止め薬剤の持続を高め、傷口をかくことで、肌へのダメージなどと、爪からなどの、ばい菌の侵入を、防ぐ。
【課題を解決するための手段】
【０００６】  かゆみ止め薬剤が乾燥しにくくするために、表面素材のビニール、シリコン又は紙の、裏側の肌に接する粘着性のある部分中央部に薬剤の滲みこんだガーゼの小口周りよりも大幅にはみ出るようにし、その部分に粘着性のシリコンテープを備えることで肌に直接周囲を貼り付けてガーゼを囲み、覆うようにして気密性効果で薬剤効果を持続するようにする。
【考案の効果】  かゆみ止め効果が持続し、ばい菌の侵入を、防ぐためにも、効果がある。
【図面の簡単な説明】
【０００７】
【図１】使用状態の平面的な姿図である。
【図２】接着側の説明図である。
【図３】使用状態の断面図である。
【考案を実施するための形態】
【０００８】  本考案は、かゆみ止めの、薬剤の滲みこんだガーゼ付テープを、局部に貼ることである、液状、軟膏のものを塗りつけた後に貼る、又そのまま貼ることもできる、かゆみ止め薬剤が乾燥しにくくするために、表面素材のビニール、シリコン、又は、紙の裏側の接着性のある所定の位置に薬剤の滲みこんだガーゼを、小口周りよりも大幅にはみ出るように広くし、その部分に粘着性のシリコンテープを備えており、ガーゼ周囲を囲むように直接肌に貼り付けて、気密性効果を持続するようにすることで、乾きにくく、長時間持続することができ、かゆみの緩和ないし、解消を目的とする。
かゆみ止めガーゼ付テープならば、軟膏類を、塗りつけた場合、乾きにくいために、衣類又は、寝具などに、付着することもなくせることができる。
【符号の説明】
【０００９】１、かゆみ止め薬剤ガーゼ付テープ、肌に接する側のみ粘着性あり
２、肌への接地部分・粘着性のある、貼りなおしの出来るシリコンテープ
３、防湿用、孔
４、かゆみ止め薬剤付ガーゼ
【図１】
0003177687.tif 000003
【図２】
0003177687.tif 000004
【図３】
0003177687.tif 000005
【手続補正書】
【提出日】平成24年5月28日(2012.5.28)
【手続補正１】
【補正対象書類名】実用新案登録請求の範囲
【補正対象項目名】全文
【補正方法】変更
【補正の内容】
【実用新案登録請求の範囲】
【請求項１】
傷口へ貼る、傷絆創膏のような、かゆみ止め効果のある薬剤を、ガーゼに滲みこませ、テープの粘着性のある肌側の所定の位置に備え付けた、かゆみ止めテープ。
【請求項２】
かゆみ止めのために、かゆみのある部分に、かゆみ止め薬剤の滲みこんだガーゼを備えたテープを直接局部に貼り付ける、請求項１記載の、かゆみ止めテープ。
【請求項３】
テープのかゆみ止め薬剤が乾燥しにくくし、かゆみ止め効果の持続を高めるために、ガーゼ周囲に、接着効果があり気密性の良い、シリコンテープを、施した、請求項１または２記載の、かゆみ止めテープ。
【請求項４】
かゆみ止め効果のある薬剤を、ガーゼに滲みこませたものがあり、効果が弱くなった場合そのガーゼ部分のみ取り替えることのできる、請求項１〜３のいずれか一項に記載の、かゆみ止めテープ。
【請求項５】
テープのガーゼのかゆみ止め薬剤の効果が弱くなったり又は、乾燥した場合、その効果の薬剤の液体の入った専用容器があり、それをガーゼに直接滲みこませ、復活することのできる、請求項１〜４のいずれか一項に記載の、かゆみ止めテープ。
【請求項６】
かゆみ止めのために、その部分に、かゆみ止め薬剤の滲みこんだガーゼを備えたテープを直接局部に貼り付ける場合に、ガーゼ内部に、発汗作用による湿気防止するために、そのテープ素材に、孔を設けた、請求項１〜５のいずれか一項に記載の、かゆみ止めテープ。
【請求項７】
かゆみ止め薬剤の滲みこんだガーゼを備えたテープの素材は、通常、紙製、ビニール製などの使い捨て用の他に、シリコン製の接着効果そのものの特性を、利用したものもあり、シリコン製においては、何回も、かゆみ止め専用のテープのように反復利用することができる、請求項１〜６のいずれか一項に記載の、かゆみ止めテープ。